(57)【要約】      （修正有）【課題】ＤＣ電源ピンを備えるｅＳＡＴＡコネクタを提供する。【解決手段】本ｅＳＡＴＡコネクタ１０は、本体１１と、ｅＳＡＴＡ端子セット２０と、電源端子セット３０と、金属ハウジング１３とを備える。本体１１の前面に１つの開放溝が、後面に複数の貫通溝が形成されている。ｅＳＡＴＡ端子セット２０は平行な複数の信号端子２１を含む。該各信号端子２１の前電気接続部３１，２１１は該開放溝内に装着される。各信号端子２１の後はんだ付け部３２，２１２は該貫通溝を通って後方へ突出する。本体１１の外部両側壁にそれぞれ電源端子３０がｅＳＡＴＡ端子セット２０に対応する高さに装着される。本ｅＳＡＴＡコネクタ１０がマザーボード上の適合するｅＳＡＴＡソケットに接続されると、該２つの電源端子３０はソケット内の電源ピンに接触し、電力を得る。外部電源との接続のための配線と費用を節約できる。【選択図】図１
0003148334.tif 000002
【実用新案登録請求の範囲】
【請求項１】
本体と、ｅＳＡＴＡ端子セットと、電源端子セットと、金属ハウジングとを備え、
該本体は前面と、後面と、外部両側縁と、該前面から該本体内部に形成された１つの開放溝と、該後面に一列に配列され該開放溝に連通する複数の第１貫通溝とを有し、
該ｅＳＡＴＡ端子セットは水平に配列された複数の信号端子を含み、
該各信号端子は、該本体の該開放溝内に装着される前電気接続部と、はんだ付けのために該本体の対応する該第１貫通溝を通って突出する後はんだ付け部とを有し、
該電源端子セットは、該本体の該外部両側縁に装着され該ｅＳＡＴＡ端子セットの該信号端子に平行な２つの電源端子を含み、
該金属ハウジングは該開放溝、該ｅＳＡＴＡ端子セットの該信号端子の後はんだ付け部、及び該電源端子の後はんだ付け部が露出するように該本体を覆うｅＳＡＴＡ（external serial advanced technology attachment）コネクタ。
【請求項２】
平行に配列された複数のＵＳＢ端子を含むＵＳＢ（universal serial bus）端子セットを更に備え、該各ＵＳＢ端子は前電気接続部と後はんだ付け部とを有し、
前記本体は、前記後面に一列に配列された複数の第２貫通溝を更に有し、該各ＵＳＢ端子の該前電気接続部は前記開放溝に装着され、該各ＵＳＢ端子の該後はんだ付け部は、はんだ付けのために対応する該第２貫通溝を通って延びる請求項１に記載のｅＳＡＴＡコネクタ。
【請求項３】
前記本体の前記後面に形成され前記開放溝に連通する複数の第２貫通溝と、
該本体の該後面に形成され該開放溝に連通する複数の第３貫通溝と、
平行に配列された複数の第１ＵＳＢ端子を含む第１ＵＳＢ端子セットと、
平行に配列された複数の第２ＵＳＢ端子を含む第２ＵＳＢ端子セットと
を更に備え、
該各第１ＵＳＢ端子は該開放溝に装着された前電気接続部と、はんだ付けのために対応する該第２貫通溝を通って延びる後はんだ付け部とを有し、該各第２ＵＳＢ端子は該開放溝に装着された前電気接続部と、はんだ付けのために対応する該第３貫通溝を通って延びる後はんだ付け部とを有する請求項１に記載のｅＳＡＴＡコネクタ。
【請求項４】
前記ｅＳＡＴＡ端子セットの前記各信号端子の前記前電気接続部は曲げられ、
前記各第１ＵＳＢ端子の前記前電気接続部には一段高くなった上段部が形成され、
前記第２ＵＳＢ端子セットは該ｅＳＡＴＡ端子セットと前記第１ＵＳＢ端子セットの間に装着され、
前記各第２ＵＳＢ端子の前電気接続部は、該第１ＵＳＢ端子セットの信号端子の電気接続部より短く、該各第１ＵＳＢ端子の該上段部に対応する高さに曲げ部が形成された前端を有する請求項３に記載のｅＳＡＴＡコネクタ。
【請求項５】
前記本体の前記前面近くの前記外部両側縁にそれぞれ矩形ブロックが形成され、該外部両側縁にそれぞれ装着溝が形成され、
前記２つの電源端子はそれぞれＵ字形断面を持ち該装着溝に装着される前電気接続部を有し、該各電源端子の該前電気接続部は対応する該矩形ブロックを覆う請求項１に記載のｅＳＡＴＡコネクタ。
【請求項６】
前記本体の前記前面近くの前記外部両側縁にそれぞれ矩形ブロックが形成され、該外部両側縁にそれぞれ装着溝が形成され、
前記２つの電源端子はそれぞれＵ字形断面を持ち該装着溝に装着される前電気接続部を有し、該各電源端子の該前電気接続部は対応する該矩形ブロックを覆う請求項２に記載のｅＳＡＴＡコネクタ。
【請求項７】
前記本体の前記前面近くの前記外部両側縁にそれぞれ矩形ブロックが形成され、該外部両側縁にそれぞれ装着溝が形成され、
前記２つの電源端子はそれぞれＵ字形断面を持ち該装着溝に装着される前電気接続部を有し、該各電源端子の該前電気接続部は対応する該矩形ブロックを覆う請求項３に記載のｅＳＡＴＡコネクタ。
【請求項８】
前記本体の前記前面近くの前記外部両側縁にそれぞれ矩形ブロックが形成され、該外部両側縁にそれぞれ装着溝が形成され、
前記２つの電源端子はそれぞれＵ字形断面を持ち該装着溝に装着される前電気接続部を有し、該各電源端子の該前電気接続部は対応する該矩形ブロックを覆う請求項４に記載のｅＳＡＴＡコネクタ。
【請求項９】
前記各電源端子は前記ｅＳＡＴＡ端子セットの前記各信号端子より大きな体積を有する請求項５に記載のｅＳＡＴＡコネクタ。
【請求項１０】
前記各電源端子は前記ｅＳＡＴＡ端子セットの前記各信号端子より大きな体積を有する請求項６に記載のｅＳＡＴＡコネクタ。
【請求項１１】
前記各電源端子は前記ｅＳＡＴＡ端子セットの前記各信号端子より大きな体積を有する請求項７に記載のｅＳＡＴＡコネクタ。
【請求項１２】
前記各電源端子は前記ｅＳＡＴＡ端子セットの前記各信号端子より大きな体積を有する請求項８に記載のｅＳＡＴＡコネクタ。
【請求項１３】
前記第１ＵＳＢ端子セットはＵＳＢ２．０プロトコル規格に準拠し、４つの信号端子を有し、前記第２ＵＳＢ端子セットはＵＳＢ３．０プロトコル規格に準拠し、５つの信号端子を有する請求項４に記載のｅＳＡＴＡコネクタ。
【考案の詳細な説明】
【技術分野】
【０００１】
本考案は、ｅＳＡＴＡコネクタ、特に、ＤＣ電源ピンを備えるｅＳＡＴＡコネクタに関する。
【背景技術】
【０００２】
コンピュータとコンピュータ周辺装置間でデータを効率的に転送するために、異なる通信プロトコル規格を使用する複数のコネクタが存在する。コンピュータ製品がより小型化されるトレンドの中で、コネクタもより薄型化される。特に、シリアル伝送用コネクタが最も普及しており、ｅＳＡＴＡ（external serial advanced technology attachment）、ＵＳＢ（universal serial bus）等が含まれる。
【０００３】
ＵＳＢコネクタは、そのプロトコル規格に従って２つのＤＣ端子を含むので、ＵＳＢコネクタを使用するコンピュータ周辺装置は余分な外部電源を必要としない。従って、コンピュータ周辺装置は、コンピュータのＵＳＢコネクタに挿入された後、動作電力を得ることができる。これは大変便利である。元のプロトコル規格により、ｅＳＡＴＡコネクタは正常に動作するために外部電源を必要とする。しかし、ｅＳＡＴＡプロトコル規格はＵＳＢプロトコル規格より高速であり、従って、ｅＳＡＴＡコネクタはコンピュータ及びコンピュータ周辺装置に非常に普及している。外部電源の使用は、ｅＳＡＴＡコネクタを使用する製品のコストを増加させるだけでなく、製品の小型化を困難にする。従って、ｅＳＡＴＡコネクタを更に改善する必要がある。
【考案の開示】
【考案が解決しようとする課題】
【０００４】
既存のｅＳＡＴＡコネクタの上記問題に鑑みて、本考案の目的は内部電源ピンを備えたｅＳＡＴＡコネクタを提供することである。
【課題を解決するための手段】
【０００５】
上記目的を達成するために、開示のｅＳＡＴＡコネクタは、本体と、ｅＳＡＴＡ端子セットと、電源端子セットと、金属ハウジングとを備える。
【０００６】
該本体の前面から内方へ１つの開放溝が形成され、後面に該開放溝に連通する複数の貫通孔が形成されている。
【０００７】
該ｅＳＡＴＡ端子セットは水平に配列された複数の信号端子を含み、該各信号端子は前電気接続部と、後はんだ付け部とを有する。該各信号端子の該前電気接続部は該開放溝内に装着される。該後はんだ付け部は対応する該貫通孔を通って突出する。
【０００８】
該電源端子セットは、該本体の外部両側縁に装着され該ｅＳＡＴＡ端子セットに平行な２つの電源端子を含む。該各電源端子の後はんだ付け部は、はんだ付けのために該本体の後面から突出する。
【０００９】
該金属ハウジングは該開放溝、該ｅＳＡＴＡ端子セットの該後はんだ付け部、及び該電源端子の該後はんだ付け部が露出するように該本体を覆う。
【００１０】
上記コネクタは該本体の外部両側に、適合するｅＳＡＴＡソケットに挿入される電源端子セットを有することを特徴とする。該電源端子セットはｅＳＡＴＡソケット内で２つの電源ピンと直接接触し、これによりｅＳＡＴＡコネクタ用の動作電力を得る。外部電源との接続のための配線と費用を節約できるだけでなく、本考案は非常に便利でもある。
【００１１】
本考案の別の目的は、ＵＳＢ端子セットと一体になったｅＳＡＴＡコネクタを提供することである。このコネクタの本体内に、ｅＳＡＴＡ信号端子と接触しない複数の平行なＵＳＢ信号端子が設けられる。このコネクタが適合するｅＳＡＴＡソケットに挿入されると、ｅＳＡＴＡコネクタは、ＵＳＢ端子セット用の５Ｖ-ＤＣ電力と、ｅＳＡＴＡ端子セットの両側の電源ピンを介して２４Ｖ未満のＤＣ電力とを受け取ることができる。
【００１２】
本考案の更に別の目的は、２つの異なるＵＳＢプロトコル規格と一体になったｅＳＡＴＡコネクタを提供することである。このコネクタの本体は第１ＵＳＢ端子セットと第２ＵＳＢ端子セットとを有し、ｅＳＡＴＡ端子セットと共に３つのコネクタが１つになっている。適合するｅＳＡＴＡソケットに挿入されると、このｅＳＡＴＡコネクタは、ＵＳＢ端子セット用の５Ｖ-ＤＣ電力と、ｅＳＡＴＡ端子セットの両側の電源ピンを介して２４Ｖ未満のＤＣ電力とを同時に受け取ることができる。
【考案を実施するための最良の形態】
【００１３】
図１〜図４を参照すると、第１実施形態のｅＳＡＴＡコネクタ１０は、本体１１、ｅＳＡＴＡ端子セット２０、電源端子セット、及び金属ハウジング１３を備える。
【００１４】
本体１１は１つの開放溝１１１が内方へ形成された前面を有している。開放溝１１１に連通する複数の第１貫通溝１１２が形成された後面を有している。この第１実施形態では、本体１１の該前面近くの外部両側縁１２にそれぞれ矩形ブロック１２２が形成されている。外部両側縁１２にはそれぞれ装着溝１２１が更に形成されている。
【００１５】
ｅＳＡＴＡ端子セット２０は平行に配列された７つの信号端子２１を含む。各信号端子２１は前電気接続部２１１と後はんだ付け部２１２とを有する。前電気接続部２１１は本体１１の開放溝１１１内に装着される。後はんだ付け部２１２は、本体１１の後壁の対応する第１貫通溝１１２を通って延び、はんだ付けのために外部へ突出する。
【００１６】
該電源端子セットは、本体１１の外部両側縁１２にそれぞれ装着され内部ｅＳＡＴＡ端子セット２０の７つの信号端子２１に平行な２つの電源端子３０を有する。この第１実施形態では、各電源端子３０は本体１１のいずれかの外部側縁１２の装着溝１２１内に嵌め込まれる。各電源端子３０は前電気接続部３１と後はんだ付け部３２とを有する。前電気接続部３１は上方へ曲げられＵ字形を形成し、矩形ブロック１２２を覆う。後はんだ付け部３２は本体１１の後面からはんだ付けのために突出する。ｅＳＡＴＡプロトコルは、  前記７つの信号端子２１から送信される電圧及び電流より高い２４Ｖ未満のＤＣ電圧を使用するので、各電源ピン３０の体積は、大きな電力を伝達するためにｅＳＡＴＡ端子セット２０の各信号端子２１より大きい。
【００１７】
金属ハウジング１３は本体１１を囲い、開放溝１１１と、ｅＳＡＴＡ端子セット２０の信号端子２１の後はんだ付け部２１２と、電源端子３０の後はんだ付け部３２とを露出させる。
【００１８】
図４、図５を参照すると、第１実施形態のｅＳＡＴＡコネクタ１０は電源端子セットと一体になったｅＳＡＴＡソケット４０に接続される。ｅＳＡＴＡソケット４０の本体４１は、接続板４２を備え、その上にｅＳＡＴＡ端子セット５０が配列されている。ｅＳＡＴＡ端子セット５０は７つのｅＳＡＴＡピン５１を含む。ｅＳＡＴＡ端子セット５０に対応する本体４１の両側縁内にそれぞれ断面がＵ字形の電源ピン５２が配置されている。ｅＳＡＴＡソケット４０は、ｅＳＡＴＡソケット４０に電力を提供するマザーボード上にはんだ付けされ、電源ピン５２は２４Ｖ未満のＤＣ電圧を受け取ることができる。従って、ｅＳＡＴＡコネクタ１０がソケット４０に挿入されると、本体１１内の２つの電源端子３０の前電気接続部３１は、ソケット４０の両側縁内の電源ピン５２に電気的に接触し、ｅＳＡＴＡ端子セット２０用の電力を得る。
【００１９】
本考案の第２実施形態を示す図６〜図９を参照すると、第２実施形態は第１実施形態と基本的に同じである。４つの第１ＵＳＢ端子２２を有する第１ＵＳＢ端子セットが、ｅＳＡＴＡ端子セット２０の７つの信号端子２１の上方又は下方に積み重ねられている。しかし、ｅＳＡＴＡ端子セット２０と第１ＵＳＢ端子２２とは互いに接触していない。このように２つのコネクタが１つになっている。この第２実施形態では、第１ＵＳＢ端子セットはｅＳＡＴＡ端子セット２０の上方に積み重ねられている。
【００２０】
本体１１の後面には、第１ＵＳＢ端子セットの４つの第１ＵＳＢ端子２２に対応する４つの第２貫通溝１１３の列が形成されている。即ち、各第１ＵＳＢ端子２２の前電気接続部２２１は本体１１内に配置されている。各第１ＵＳＢ端子２２の後はんだ付け部２２２は、はんだ付けのために対応する第２貫通溝１１３を通って本体１１の後面から突出する。
【００２１】
図９、図１０を参照すると、第２実施形態のｅＳＡＴＡコネクタ１０ａは電源端子セットと一体になったｅＳＡＴＡソケット４０ａに接続される。ｅＳＡＴＡソケット４０ａの本体４１の接続板４２の両面には、それぞれｅＳＡＴＡ端子セット５０とＵＳＢ端子セット６０が配置されている。ｅＳＡＴＡ端子セット５０に対応する本体４１の両側縁内にそれぞれ断面がＵ字形の電源ピン５２が配置されている。ｅＳＡＴＡソケット４０ａは、ｅＳＡＴＡソケット４０ａに電力を提供するマザーボード上にはんだ付けされ、電源ピン５２は２４Ｖ未満のＤＣ電圧を受け取る。該マザーボードはＵＳＢに５Ｖ-ＤＣ電圧も提供する。従って、ｅＳＡＴＡコネクタ１０ａがソケット４０ａに挿入されると、本体１１内の２つの電源端子３０の前電気接続部３１は、ソケット４０ａ内の２つの電源ピン５２に接触する。この場合、コネクタ１０ａのｅＳＡＴＡ端子セット２０は、ＵＳＢ端子セット６０と電源端子３０の両方から電力を得る。
【００２２】
図１１Ａ、図１１Ｂ〜図１４を参照すると、第３実施形態のｅＳＡＴＡコネクタ１０ｂは第１実施形態と構造が基本的に同じである。この第３実施形態において、本体に４つの第１ＵＳＢ端子２２を含む第１ＵＳＢ端子セットと、４つの第２ＵＳＢ端子２３を含む第２ＵＳＢ端子セットとが設けられている。第１及び第２ＵＳＢ端子セットはｅＳＡＴＡ端子セット２０と共に積み重ねられている。しかし、これらは互いに接触していない。本体１１の後面には第１グループの貫通溝１１２と、第２グループの貫通溝１１３と、第３グループの貫通溝１１４とが形成され、これらの貫通溝をｅＳＡＴＡ端子セット２０と第１及び第２ＵＳＢ端子２２、２３との後はんだ付け部３２、２２２、２３２がそれぞれ貫通する。後はんだ付け部３２、２２２、２３２は、はんだ付けのために本体１１から突出する。この第３実施形態では、後はんだ付け部３２、２２２、２３２は本体１１から突出した後、下方に曲げられている。
【００２３】
第３実施形態では、本体１１内の一番上のｅＳＡＴＡ端子セット２０の信号端子２１の前電気接続部２１１は曲げられている。本体１１内の一番下の第１ＵＳＢ端子セットの各第１ＵＳＢ端子２２の前電気接続部２２１には一段高くなった上段部２２１ａが形成されている。ｅＳＡＴＡ端子セット２０と第１ＵＳＢ端子セットの間に位置する第２ＵＳＢ端子セットの各第２ＵＳＢ端子２３の前電気接続部２３１は、ｅＳＡＴＡ端子セット２０と第１ＵＳＢ端子セットの信号端子２１、２２の前電気接続部２１１、２２１より短い。各第２ＵＳＢ端子２３の前電気接続部２３１は上方へ曲げられ、その前端に第１ＵＳＢ端子セットの第１ＵＳＢ端子２２の上段部２２１ａに対応する高さに下方曲げ部２３１ａが形成されている。
【００２４】
図１５を参照すると、第３実施形態のｅＳＡＴＡコネクタ１０ｂが、電源端子セットと一体になったｅＳＡＴＡソケット４０ｂに挿入されている。ｅＳＡＴＡソケット４０ｂの本体４１の接続板４２の両面には、それぞれ７つのピン５１を有するｅＳＡＴＡ端子セット５０と４つのＵＳＢ端子６１を有しＵＳＢ２．０規格に準拠したＵＳＢ端子セット６０が設けられている。ｅＳＡＴＡ端子セット５０の５つのピン５１は、接続板４２を貫通し反対側に下段部５１１を有する。５つの下段部５１１は、ＵＳＢ３．０規格に準拠するＵＳＢ端子セット６０と同じ接続板４２の面上に位置する。５つの下段部５１１は、接続板４２の前端にＵＳＢ端子セット６０より近い。
【００２５】
ｅＳＡＴＡコネクタ１０ｂがソケット４０ｂに挿入されると、本体１１内の２つの電源端子３０の前電気接続部３１１は、ソケット４０ｂの両側縁内の電源ピン５２に接触する。コネクタ１０ｂのｅＳＡＴＡ端子セット２０は、ＵＳＢ端子セットと電源端子セットから電力を得る。
【００２６】
上記３つの実施形態の説明から、本考案は該本体の外部両側縁に１組の電源端子を有することを特徴とすることは明らかである。適合するｅＳＡＴＡソケットに挿入されると、該１組の電源端子はｅＳＡＴＡソケット内の電源ピンに接触し、ｅＳＡＴＡコネクタ用の動作電力を得る。従って、外部電源との接続のための配線と費用を節約できるだけでなく、非常に便利でもある。
【図面の簡単な説明】
【００２７】
【図１】本考案に係るｅＳＡＴＡコネクタの第１実施形態の展開斜視図である。
【図２】組立てた図１のｅＳＡＴＡコネクタの斜視図である。
【図３】本考案に係るｅＳＡＴＡコネクタの後立面図である。
【図４】本考案に係るｅＳＡＴＡコネクタとｅＳＡＴＡソケットとの接続前の側断面図である。
【図５】ｅＳＡＴＡソケットと接続された本考案に係るｅＳＡＴＡコネクタの部分断面図である。
【図６】本考案に係るｅＳＡＴＡコネクタの第２実施形態の展開斜視図である。
【図７】組立てた図６のｅＳＡＴＡコネクタの斜視図である。
【図８】図７の後立面図である。
【図９】図６のｅＳＡＴＡコネクタとｅＳＡＴＡソケットとの接続前の側断面図である。
【図１０】ｅＳＡＴＡソケットと接続された図６のｅＳＡＴＡコネクタの部分断面図である。
【図１１Ａ】本考案に係るｅＳＡＴＡコネクタの第３実施形態の展開斜視図である。
【図１１Ｂ】ｅＳＡＴＡコネクタの第３実施形態の別の展開斜視図である。
【図１２】ｅＳＡＴＡコネクタの第３実施形態の斜視図である。
【図１３】図１１の後立面図である。
【図１４】図１２のｅＳＡＴＡコネクタとｅＳＡＴＡソケットとの接続前の側断面図である。
【図１５】ｅＳＡＴＡソケットと接続された図１２のｅＳＡＴＡコネクタの部分断面図である。
【符号の説明】
【００２８】
１０  ｅＳＡＴＡコネクタ
１１  本体
１２  外部側縁
１３  金属ハウジング
２０  ｅＳＡＴＡ端子セット
２１  信号端子
２２  ＵＳＢ端子
３０  電源端子
３１、２１１  前電気接続部
３２、２１２  後はんだ付け部
１１１  開放溝
１１２  第１貫通溝
１１３  第２貫通溝
１２１  装着溝
１２２  矩形ブロック
【図１】
0003148334.tif 000003
【図２】
0003148334.tif 000004
【図３】
0003148334.tif 000005
【図４】
0003148334.tif 000006
【図５】
0003148334.tif 000007
【図６】
0003148334.tif 000008
【図７】
0003148334.tif 000009
【図８】
0003148334.tif 000010
【図９】
0003148334.tif 000011
【図１０】
0003148334.tif 000012
【図１１Ａ】
0003148334.tif 000013
【図１１Ｂ】
0003148334.tif 000014
【図１２】
0003148334.tif 000015
【図１３】
0003148334.tif 000016
【図１４】
0003148334.tif 000017
【図１５】
0003148334.tif 000018